(57)【要約】【課題】ドラム内全体として、洗濯物の張り付きを解消する効果が充分に得られるドラム式洗濯乾燥機を提供する。【解決手段】ドラム９の内部にドラム９より小さなサブドラム４６を、少なくとも脱水時にドラム９の内周部との間隔が変化する振動（矢印Ａ）をするように設け、このサブドラム４６により、洗濯物から脱水されて洗濯物とドラム９との間に介在された水の切離を行い、サブドラム４６の振動により、ドラム９の内周部に対する洗濯物の密着を解消すると共に、洗濯物同士の密着も緩めて、洗濯物が円環状に構造化される過程における円環構造自体の強固さを下げる。かくして、ドラム９内の全体として、ドラム９の内周部に対する洗濯物の張り付きを充分に解消できるようにした。【選択図】図１
2013022053.tif 000002
【特許請求の範囲】
【請求項１】
ドラムを横軸状に具え、そのドラムの内部に洗濯物を収容して、該ドラムを高速回転させることにより前記洗濯物の脱水を行い、その後にドラムの内部に温風を供給して前記洗濯物の乾燥を行うドラム式洗濯乾燥機において、
前記ドラムの内部にドラムより小さなサブドラムを、少なくとも前記脱水時に前記ドラムの内周部との間隔が変化する振動をするように設けたことを特徴とするドラム式洗濯乾燥機。
【請求項２】
サブドラムが、中心部で軸支され、その軸支部分を基点に振動するように設けられていることを特徴とする請求項１記載のドラム式洗濯乾燥機。
【請求項３】
サブドラムが、外周部の複数箇所で弾性支持され、その弾性により振動するように設けられていることを特徴とする請求項１記載のドラム式洗濯乾燥機。
【請求項４】
サブドラムがその外周部とドラムの内周部との間に間隙を有し、この間隙を通してドラム外からドラム内に通風するようになっていることを特徴とする請求項１ないし３のいずれかに記載のドラム式洗濯乾燥機。
【請求項５】
サブドラムが、内周部の複数箇所にバッフルを有することを特徴とする請求項１ないし４のいずれかに記載のドラム式洗濯乾燥機。
【発明の詳細な説明】
【技術分野】
【０００１】
本発明の実施形態はドラム式洗濯乾燥機に関する。
【背景技術】
【０００２】
従来より、ドラム式洗濯乾燥機においては、ドラムが横軸状に具えられ、そのドラムの内部に洗濯物が収容されて、該ドラムが低速回転されることにより洗濯物の洗濯が行われ、続いてドラムが高速回転されることにより洗濯物の脱水が行われ、その後にドラムが低速回転されつつドラムの内部に温風が供給されることにより洗濯物の乾燥が行われるようになっている。
【０００３】
しかしながら、脱水時には、ドラムの高速回転による遠心力で、洗濯物がドラムの内周部に張り付いてしまい、その張り付きが解消されないまま、次の乾燥が行われることにより、洗濯物を効率良く乾燥させることができなかった。又、その場合、洗濯物のしわ付きもかなりあり、仕上がり具合が損ねられていた。
【０００４】
それに対して、脱水時途中や脱水時最後に、ドラムの回転速度を低速に落とすことで、洗濯物の張り付きを解消するようにしたものも供されている。しかしながら、このものでは、洗濯物の張り付きを解消する効果が充分には得られていない。
【０００５】
又、それとは異なるものとして、ドラムの内周部の数箇所に可動突起を設けることも考えられている。この可動突起は、それぞれ一対の可動板を拡縮可能に連結したもので、その一対の可動板が常時は縮閉状態にあってドラムの内方に突出し、その状態から脱水時の遠心力で拡開して非突出状態となるもので、脱水時にはその非突出状態で洗濯物を受け、脱水終了時には縮閉状態に戻ってドラムの内方に突出することにより、洗濯物をドラムの内方へ押し出して該洗濯物の張り付きを解消するものである（例えば特許文献１参照）。
【先行技術文献】
【特許文献】
【０００６】
【特許文献１】特開２００７−１１７２７８号公報
【発明の概要】
【発明が解決しようとする課題】
【０００７】
しかしながら、上述のドラムの内周部に可動突起を設けたものは、可動突起のある箇所では洗濯物の張り付きの解消に効果があるものの、それ以外の多くの部分では洗濯物の張り付きの解消に効果がなく、ドラム内全体としては、洗濯物の張り付きを解消する効果がやはり充分には得られていない。
【０００８】
そこで、ドラム内全体として、洗濯物の張り付きを解消する効果が充分に得られるドラム式洗濯乾燥機を提供する。
【課題を解決するための手段】
【０００９】
本実施形態のドラム式洗濯乾燥機においては、ドラムを横軸状に具え、そのドラムの内部に洗濯物を収容して、該ドラムを高速回転させることにより前記洗濯物の脱水を行い、その後にドラムの内部に温風を供給して前記洗濯物の乾燥を行うものにおいて、前記ドラムの内部にドラムより小さなサブドラムを、少なくとも前記脱水時に前記ドラムの内周部との間隔が変化する振動をするように設けたことを特徴とする。
【図面の簡単な説明】
【００１０】
【図１】第１の実施形態を示す主要部分の縦断側面図
【図２】主要部分の縦断正面図
【図３】ドラム式洗濯乾燥機全体の縦断側面図
【図４】標準的な運転コースの行程内容を表した図
【図５】作用を説明するための部分縦断側面図
【図６】第２の実施形態を示す図１相当図
【図７】図２相当図
【図８】弾性支持体単体の拡大斜視図
【図９】サブドラムの弾性支持をした一部分の拡大縦断側面図
【図１０】第３の実施形態を示す図１相当図
【図１１】図９相当図
【図１２】第４の実施形態を示す図１相当図
【発明を実施するための形態】
【００１１】
以下、第１の実施形態につき、図１ないし図５を参照して説明する。
まず、図３には、ドラム式洗濯乾燥機の全体構成を示しており、外箱１の内部に、水槽２を配置している。水槽２は軸方向が前後（図３で左右）の横軸円筒状を成すもので、それを複数（１つのみ図示）のサスペンション３により外箱１の底面上に弾性支持しており、その支持形態は前上がりの傾斜状である。
【００１２】
水槽２の前側（図３で左側）の端面部には開口部４を形成しており、この開口部４を外箱１の前面部に形成した洗濯物（衣類）出し入れ用の開口部５に環状のベローズ６で連ねており、外箱１の開口部５には扉７を開閉可能に設けている。
一方、水槽２の後側の端板部の背面にはモータ８を取付けている。このモータ８は、アウターロータ形であり、更に、ブラシレスＤＣモータであって、ロータ８ａの中心部に回転軸８ｂを有し、この回転軸８ｂを水槽２の後側の端板部の中心部を回転可能に挿通させて、水槽２の内部に位置させている。
【００１３】
水槽２の内部にはドラム９を配置している。このドラム９も、軸方向が前後の横軸円筒状を成すもので、この場合、ステンレスなど金属製であり、奥部の中心部周りを上記モータ８の回転軸８ｂ先端のフランジ部８ｃに同心取付けをすることにより、該ドラム９も、水槽２と同軸の前上がりの傾斜状態に設けている。又、その結果、ドラム９はモータ８により回転軸８ｂを中心に回転されるようになっており、従って、モータ８はドラム９を回転させる駆動装置として機能するようになっている。
【００１４】
ドラム９の前側の端面部には開口部１０を形成しており、この開口部１０を水槽２の前記開口部４が囲繞している。又、このドラム９の開口部１０周りの内部には、例えば液体封入形の回転バランサ１１を設けており、周側部（胴部）には、ほゞ全域に孔１２を形成している（一部のみ図示）。この孔１２は、洗濯時及び脱水時に通水孔として機能し、乾燥時には通風孔として機能するものである。このほか、ドラム９の周側部の内面には、洗濯物撹拌用のバッフル１３を複数個設けている。
【００１５】
更に、水槽２の前側の端面部の上部（前記開口部４より上方の部分）には温風出口１４を形成しており、後側の端板部の上部に温風入口１５を形成している。又、ドラム９の後端板部には、温風入口１５に対応させて通風孔１６を、前記モータ８の回転軸８ｂを中心とする環状の配置にて多数形成している。
水槽２の底部の最後部には、排水口１７を形成しており、この排水口１７に水槽２外で排水管１８を接続し、該排水管１８には排水弁１９を設けている。排水弁１９は、水槽２内の水を排水管１８から排水ホース２０を通じ排出するものである。
【００１６】
又、水槽２の下方（外箱１の底面上）には台板２１を配置しており、この台板２１上に通風ダクト２２を配置している。この通風ダクト２２は、前端部の上部に吸風口２３を有しており、この吸風口２３には、前記水槽２の温風出口１４を還風ダクト２４及び可撓性のあるダクト継手２５を介して接続している。なお、還風ダクト２４は前記水槽２の開口部４の左側を迂回するように配管している。
【００１７】
一方、通風ダクト２２の後端部には循環用送風機２６のケーシング２７を接続しており、このケーシング２７の出口部２８を、可撓性のあるダクト継手２９及び給風ダクト３０を介して、前記水槽２の温風入口１５に接続している。なお、給風ダクト３０は前記モータ８の左側を迂回するように配管している。
かくして、還風ダクト２４、ダクト継手２５、通風ダクト２２、循環用送風機２６のケーシング２７、ダクト継手２９、及び給風ダクト３０により、ドラム９外において前記水槽２の温風出口１４と温風入口１５とを接続する通風路３１を構成している。
【００１８】
循環用送風機２６は、ケーシング２７の内部に羽根車３２を有しており、この羽根車３２を、ケーシング２７の外部に配設したモータ３３により回転させるようにしていて、それによる送風作用で、前記ドラム９内の空気を、上記通風路３１を通してドラム９外に出した後、ドラム９の通風孔１６からドラム９内に戻す循環を行わしめるようになっており、もって、通風路３１と循環用送風機２６とによりドラム９内の空気を循環させる空気循環装置３４を構成している。
【００１９】
しかして、通風路３１中、通風ダクト２２の内部には、前部（循環空気流の上流側）に蒸発器３５を配設しており、後部（循環空気流の下流側）に凝縮器３６を配設している。これらの蒸発器３５及び凝縮器３６は、図示しない圧縮機及び絞り器（特には電子式の開度調節可能な絞り弁〔ＰＭＶ：Ｐｕｌｓｅ  Ｍｏｔｏｒ  Ｖａｌｖｅ〕）と共にヒートポンプを構成するもので、このヒートポンプにおいては、圧縮機、凝縮器３６、絞り器、蒸発器３５、及び圧縮機の順にこれらをサイクル接続しており（冷凍サイクル）、圧縮機が作動することによって図示しない冷媒（例えばＲ１３４ａ）を循環させるようになっている。なお、圧縮機と絞り器は通風ダクト外に配設している。
【００２０】
そして又、前記吸風口２３が位置した通風ダクト２２の前端部から機外である前方へは、吐風路３８を設けている。この吐風路３８は通風ダクト２２の前記吸風口２３と連通しており、その連通部分には切換ダンパ３９を設けている。
上記切換ダンパ３９は、図示を省略したモータや電磁石など駆動源の動力により回動されて、同図に実線及び二点鎖線で示すように、吐風路３８と通風ダクト２２（通風路３１）との連通、遮断をすると共に、通風路３１の空気循環装置３４における連通、遮断をする風路切換装置として機能するようになっている。
【００２１】
又、吐風路３８の内部には、吐出用送風機４０を設けていて、それより前方の吐風路３８の出口部には、図示を省略したモータや電磁石など駆動源の動力により開閉されるシャッタ４１を設けている。
更に、通風ダクト２２の蒸発器３５を配設した部分と凝縮器３６を配設した部分との間の部分である通風ダクト２２の中間部の上面部には、外気導入口４２を形成している。
【００２２】
又、前記外箱１内の上部には、表示系の制御装置４３と、給水ボックス４４、並びに電源系の制御装置４５を配設しており、特にそのうちの給水ボックス４４は、洗剤投入部並びに柔軟仕上剤投入部を有していて、図３では図示を省略した給水弁の複数ある出口部の開放の選択により、水道水を、洗い行程時に洗剤投入部を経て前記水槽２内に給水し、すすぎ行程時の終期に柔軟仕上剤投入部を経て同じく水槽２内に給水するようになっている。
【００２３】
そして、前記ドラム９の内部には、サブドラム４６を配設している。このサブドラム４６は、詳細には図１に示すように、ドラム９より小さく、特に奥行（軸方向長さ）がドラム９の１／２以下で、直径がドラム９よりわずかに小さな有底の短円筒状を成すものであり、ドラム９と同じステンレスなど金属製であって、底部と反対側の前面部は全面的に開放している。又、このサブドラム４６の周側壁には、ドラム９の前記孔１２とほゞ同じ大きさでそれと同機能を呈する孔４７を形成しており、更に、このサブドラム４６の奥部には、ドラム９の前記通風孔１６とほゞ同じ大きさの通風孔４８を形成し、加えて、このサブドラム４６の内周部の複数箇所には、側面形がドラム９の前記バッフル１３と同じ矩形（正面形は山形）のバッフル４９を設け、背面の周囲部の複数箇所には、例えば弾性材から成るストッパ５０を設けている。
【００２４】
サブドラム４６の中心部（奥部の中心部）には取付孔５１を形成しており、この取付孔５１に、取付軸５２の軸主部５２ａを挿通している。取付軸５２の軸主部５２ａはサブドラム４６の取付孔５１より径小であり、この取付軸５２の軸主部５２ａのサブドラム４６外に突出した部分には、弾性体であるコイルスプリング５３を外装している。更に、取付軸５２の軸主部５２ａは、外周部に雄ねじを刻設しており、それに対して、ドラム９の奥部の中心部には軸通孔５４を形成し、前記モータ８の回転軸８ａ先端のフランジ部８ｃには中心部にねじ穴５５を形成している。
【００２５】
この構成で、上述のようにサブドラム４６の取付孔５１に挿通すると共にコイルスプリング５３を外装した取付軸５２の軸主部５２ａを、ドラム９の軸通孔５４からモータ８の回転軸８ａのフランジ部８ｃのねじ穴５５に螺挿することにより、サブドラム４６をドラム９内の奥側に配置してドラム９に取付け、取付軸５２で軸支している。この結果、サブドラム４６はその軸支部分を基点に、取付軸５２の軸主部５２ａに対する取付孔５１の径の余裕でもって、コイルスプリング５３を伸縮させつつ、図１に矢印Ａで示すように振動（微振動）するようになっている。ストッパ５０はその振動が過大であるときにドラム９の奥部に衝接してサブドラム４６がドラム９に衝突するのを抑止する機能を奏する。
【００２６】
又、その取付状態では、サブドラム４６の外周部とドラム９の内周部との間には、常態（静止状態）では５〜１０〔ｍｍ〕の間隙５６が保たれるようになっており、サブドラム４６の前端部であって且つバッフル４９の前端部とドラム９の前記バッフル１３との間には、同じく常態では２０〜３０〔ｍｍ〕の間隙５７が保たれるようになっている。更に、このサブドラム４６のバッフル４９は、内縁部の高さ位置がドラム９のバッフル１３と同じとなるようになっており、且つ、バッフル４９の各位置（配列）は図２に示すようにドラム９のバッフル１３と合致するようになっている。なお、図２で明らかなように、バッフル１３，４９の正面形は山形となっている。そのほか、サブドラム４６の孔４７も、ドラム９の前記孔１２と同じほゞ同じ配列となるようになっている（図１参照）。
【００２７】
なお、取付軸５２は着脱が可能であり、この取付軸５２を取外すことで、サブドラム４６とドラム９との間を広げるようにサブドラム４６を変形させ、かくしてサブドラム４６の外周部や背面部、並びにそれらと対向するドラム９の各部分の掃除などメンテナンスが所望にできる。
又、モータ８の回転軸８ｂのフランジ部８ｃに対するドラム９の取付けも、詳細には図１に示すごとくで、フランジ部８ｃにドラム９の奥部の中心部周りを複数のねじ５８で取付けている。
【００２８】
次に、上記構成のドラム式洗濯乾燥機の作用を述べる。
図４は、上記構成のドラム式洗濯乾燥機の標準的な運転コースを表している。この標準的な運転コースが選択されて開始されると、最初に「洗い」行程が開始される。この「洗い」行程では、ドラム９を約３００〔ｒｐｍ〕の回転速度で約３０〔秒〕間回転させて洗濯物量の検知（重量センシング）を行い、次いで、水槽２内への洗剤の供給と併せた給水を約３〔分〕の間で行い、その後に、ドラム９を約５０〜１００〔ｒｐｍ〕の回転速度で約１５〔分〕間正逆両方向に交互に回転させて洗濯物の洗い（ドラム正反転）を行う。洗濯物は外箱１の開口部５からドラム９内にあらかじめ収容しておく。
【００２９】
この後、「すすぎ」行程に移る。この「すすぎ」行程では、水槽２内からの排水を約５〔分〕の間で行い、次いで、ドラム９を約１０００〔ｒｐｍ〕の回転速度で約２〔分〕間回転させて洗濯物の脱水を行い、その後に、水槽２内への給水を約２〔分〕の間で行い、更にその後に、ドラム９を約５０〜１００〔ｒｐｍ〕の回転速度で約３〔分〕間正逆両方向に交互に回転させて洗濯物のすすぎ（ドラム正反転）を行う。そして又、この排水、脱水、給水、すすぎを繰返す。
【００３０】
この後、「脱水」行程に移る。この「脱水」行程では、水槽２内からの排水を約３〔分〕の間で行い、次いで、ドラム９を約９００〔ｒｐｍ〕の回転速度で約６〔分〕間回転させて洗濯物の脱水を行う。
【００３１】
この後、「乾燥」行程に移る。この「乾燥」行程では、ドラム９を約５０〜１００〔ｒｐｍ〕の回転速度で約２〔分〕間正逆両方向に交互に回転させて洗濯物の張り付き解消の促進を行い、次いで、ドラム９を約１５００〔ｒｐｍ〕の回転速度で約１５〔分〕間回転させて洗濯物の高速脱水（高速回転）を行う。その後に、洗濯物の張り付き解消の促進を再度行う。そして、ドラム９を約３００〔ｒｐｍ〕の回転速度で約３０〔秒〕間回転させて再度の洗濯物量の検知を行い、最後にドラム９を約５０〜１００〔ｒｐｍ〕の回転速度で約１００〔分〕間正逆両方向に交互に回転させて洗濯物の乾燥を行う。
【００３２】
なお、上記洗濯物の乾燥を行うときには、切換ダンパ３９を、図２に実線で示すように、吐風路３８を通風路３１から遮断し、通風路３１を空気循環装置３４において連通させるようにセットする。この状態で、循環用送風機２６のモータ３３を作動させる。すると、羽根車３２の送風作用で、図２に矢印Ｂで示すように、水槽２内の空気が温風出口１４から通風路３１の還風ダクト２４及びダクト継手２５を経て通風ダクト２２内に流入される。
【００３３】
又、このときには、ヒートポンプの圧縮機の作動を開始させる。これにより、ヒートポンプに封入した冷媒が圧縮機により圧縮されて高温高圧の冷媒となり、その高温高圧の冷媒が凝縮器３６に流れて、通風ダクト２２内の空気と熱交換する。その結果、通風ダクト２２内の空気が加熱され、反対に、冷媒の温度は低下して液化される。この液化された冷媒が、次に、絞り器を通って減圧された後、蒸発器３５に流入し、気化する。それにより、蒸発器３５は通風ダクト２２内の空気を冷却する。蒸発器３５を通過した冷媒は圧縮機に戻る。
【００３４】
これらにより、前記水槽２内から通風ダクト２２内に流入した空気は、蒸発器３５で冷却されて除湿される。又、その下流では、空気が凝縮器３６により加熱され、温風化される。そして、その温風がダクト継手２９、給風ダクト３０を経て、温風入口１５から水槽２内に供給され、更に、ドラム９の通風孔１６からサブドラム４６の通風孔４８を通ってドラム９内に供給される。
【００３５】
ドラム９内に供給された温風は洗濯物の水分を奪った後、前記温風出口１４から還風ダクト２４及びダクト継手２５を経て通風ダクト２２内に流入する。かくして、蒸発器３５と凝縮器３６を有する通風ダクト２２とドラム９との間を空気が循環することにより、ドラム９内の洗濯物が乾燥される。
この「乾燥」行程の終了後、全運転が終了される。
【００３６】
さて、以上のようにドラム９が回転されて脱水が行われるとき、ドラム９の回転はいずれも高速であることにより、ドラム９内では洗濯物が強い遠心力でドラム９の内周部に押し付けられる。このとき、一般には、洗濯物とドラム９の内周部との間には、洗濯物からの脱水により生じた水が介在し、それが洗濯物をドラム９の内周部に貼り付ける接着剤的な作用を果たす。又、洗濯物の量が多いときには、洗濯物同士が密着してドラム９の内周部に添う円環状に洗濯物全体が構造化し、この形で強固な構造物となってしまう。これらにより、洗濯物がドラム９の内周部に張り付いてしまっていたのである。従って、洗濯物の水による接着と円環状の構造化、の２点を解消することが、洗濯物の張り付きをなくすことにつながる。
【００３７】
それに対して、上記構成のものでは、ドラム９内にドラム９より小さなサブドラム４６を設けている。この結果、ドラム９の高速回転による遠心力を受けた洗濯物群は、図５にＳで示すようにドラム９からサブドラム４６にかけて位置するようになり、サブドラム４６にかかった洗濯物のところで、従来は洗濯物から脱水されて洗濯物とドラム９との間に介在された水の切離が行われる。
【００３８】
又、ドラム９が回転するとき、サブドラム４６は、取付軸５２の軸主部５２ａによる軸支部分を基点に矢印Ａで示したように振動（微振動）する。この振動は、サブドラム４６とドラム９の内周部との間隔が変化する振動であり、そのサブドラム４６とドラム９の内周部との間隔の変化は、ドラム９に対してサブドラム４６が弾性体であるコイルスプリング５３を介して支持されていることにより生じるものである。このサブドラム４６の振動により、サブドラム４６にかかった洗濯物とドラム９との間には、相対的なずれがドラム９の回転中絶えず生じ、ドラム９の内周部に対する洗濯物の密着が解消される。
加えて、上述の振動が与えられることで、洗濯物同士の密着も緩められ、洗濯物が円環状に構造化される過程においても、円環構造自体の強固さを下げることができる。
【００３９】
かくして、ドラム９内の全体として、ドラム９の内周部に対する洗濯物の張り付きを充分に解消することができるものであり、それによって、乾燥行程では洗濯物を効率良く乾燥させることができるし、又、洗濯物のしわ付きもなくすことができて、良好な仕上がり具合を得ることができる。
【００４０】
なお、上記構成のものでは、もっぱら洗濯物の出し入れ性を考慮して、ドラム９を前上がり（後下がり）の傾斜状に設けており、その関係上、洗濯物がドラム９内の奥側に寄りがちであるので、サブドラム４６もドラム９内の奥側に設けていて、洗濯物の張り付きを解消する効果がより確実に得られるようにしている。但し、ドラム９は必ずしも前上がりの傾斜状に設ける必要はなく、従って、サブドラム４６も必ずしもドラム９内の奥側に設ける必要はない。
【００４１】
更に、上記構成のものでは、サブドラム４６が内周部の複数箇所にバッフル４９を有しており、このバッフル４９による撹拌作用で、洗濯物の張り付きを解消する効果を一層確実に得ることができる。
又、そのバッフル４９は側面形が矩形であり、ドラム９のバッフル１３と合わせてその全長が大きくなるので、洗濯物の撹拌効果に優れている。
【００４２】
以上に対して、図６ないし図１２は第２ないし第４の実施形態を示すもので、それぞれ、第１の実施形態と同一の部分には同一の符号を付して説明を省略し、異なる部分についてのみ述べる。
【００４３】
［第２の実施形態］
図６ないし図９に示す第２の実施形態においては、サブドラム４６を、外周部の複数箇所で弾性支持し、その弾性により振動するように設けている。詳細には、サブドラム４６の外周部の複数箇所、特には図７に示す、ドラム９のバッフル１３と合致する配列位置とその各中間の位置のそれぞれ前後部に、図８に示す短円筒状の弾性支持体６１を配置し、この弾性支持体６１に、図９に示すように、サブドラム４６の内周部から弾性ワッシャ６２を介しドラム９の外周部にかけてねじ６３を通してナット６４で締着している。しかして、この場合、弾性支持体６１並びに弾性ワッシャ６２は、ともにＥＰＤＭ（エチレン−プロピレン−ジエンゴム）等のゴムやエラストマなど弾性材から成っており、そのそれぞれの弾性により、サブドラム４６が振動するようになっている。
このようにしても、第１の実施形態と同様の作用効果を得ることができる。
【００４４】
なお、この場合のサブドラム４６の内周部には、第１の実施形態の側面矩形のバッフル４９に代えて前側が低い（奥側が高い）側面三角形のバッフル６５を設けており、この形状のバッフル６５によれば、洗濯物が三角形の低い前側に集まりやすくなってサブドラム４６の振動によるドラム９との間の相対的なずれが生じやすくなるので、洗濯物の張り付きを解消する効果に優れる。
なお、この側面三角形のバッフル６５は第１の実施形態で採用しても良い。又、反対に、この側面三角形のバッフル６５は第１の実施形態の側面矩形のバッフル４９に変えて実施しても良い。
【００４５】
［第３の実施形態］
図１０及び図１１に示す第３の実施形態においては、サブドラムに、前述の有底のサブドラム４６に代えて、無底（奥壁がない）のサブドラム７１を採用している。このようなサブドラム７１であれば、第１及び第２の実施形態と同様の作用効果を得ることができる上に、洗濯物の収容量を第１及び第２の実施形態のサブドラム４６を使用するものより増すことができる。
【００４６】
又、この場合、サブドラム７１を外周部の複数箇所で弾性支持するのに、弾性支持体６１をサブドラム４６の外周部の複数箇所に第２の実施形態と同様に配置し、この弾性支持体６１に、図１１に示すように、サブドラム４６の内周部からドラム９の外周部にかけてねじ６３を通して弾性ワッシャ６２を介しナット６４で締着している。サブドラム７１の弾性支持はこのようにして行っても良い。
又、この場合も、サブドラム７１の内周部には、第２の実施形態の側面三角形のバッフル６５を設けているが、第１の実施形態の側面矩形のバッフル４９に変えて実施しても良い。
【００４７】
［第４の実施形態］
図１２に示す第４の実施形態においては、サブドラム４６の外周部とドラム９の内周部との間の前記間隙５６を通してドラム９外からドラム９の内に通風するようにしている。詳細には、ドラム９の奥部の外周側に前記通風孔４８に加えて通風孔８１を形成しており、矢印Ｃ´で示すようにこの通風孔８１からサブドラム４６の外周部とドラム９の内周部との間の前記間隙５６を通してドラム９の内部に通風するもので、それを、脱水時、特に洗濯物が遠心力でドラム９の内周部に張り付く前の時点から、循環用送風機２６を作動させることにより行うようにしている。
【００４８】
このように循環用送風機２６を作動させれば、前述の循環風が矢印Ｃで示すようにドラム９の通風孔１６からサブドラム４６の通風孔４８を通ってドラム９内に供給されると共に、通風孔８１からサブドラム４６の外周部とドラム９の内周部との間の前記間隙５６を通ってドラム９の内部に供給される（矢印Ｃ´）ので、それにより、ドラム９の内周部表面の水分を乾燥させて洗濯物を密着しにくくするものであり、かくして、洗濯物の張り付きをより確実に解消することができる。
【００４９】
なお、脱水時の、洗濯物が遠心力でドラム９の内周部に張り付く前の時点のドラム９の回転速度は、ドラム９の直径が例えば５０〔ｃｍ〕である場合には約６０〔ｒｐｍ〕である。又、それ以後の洗濯物がドラム９の内周部に密着した時点からドラム９の内周部に水分が残りにくくするためには、ドラム９の回転速度を一旦２００〜３００〔ｒｐｍ〕に上昇させた後に、約６０〔ｒｐｍ〕未満に降下させることによりドラム９の内周部の表面を乾燥させた後に、再度上昇させる方法が有効である。
【００５０】
加えて、この場合、サブドラム４６の内周部には、第２の実施形態の側面三角形のバッフル６５を設けており、この形状のバッフル６５によれば、前述のように洗濯物が三角形の低い前側に集まりやすくなるので、通風孔４８を洗濯物で塞ぐことがなくなり、該通風孔４８からドラム９内への通風性を良好に確保できて、洗濯物の乾燥性能を良好に維持できる。
【００５１】
但し、そのサブドラム４６のバッフル６５は、第１実施例のバッフル４９に変えて実施するようにしても良い。又、この場合、サブドラム４６の支持構造も、第１実施例の取付軸５２による軸支構造としているが、第２及び第３実施例の弾性支持体６１によるに弾性支持構造としても良く、更に、サブドラム４６自体、第３実施例のサブドラム７１に変えて実施するようにしても良い。
【００５２】
以上説明したドラム式洗濯乾燥機は、上記実施形態にのみ限定されるものではなく、要旨を逸脱しない範囲内で適宜変更して実施し得る。
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
図面中、９はドラム、３４は空気循環装置、４６はサブドラム、４９はバッフル、５２は取付軸、５６は間隙、６１は弾性支持体、６５はバッフル、７１はサブドラム、８１は通風孔を示す。
【図１】
2013022053.tif 000003
【図２】
2013022053.tif 000004
【図３】
2013022053.tif 000005
【図４】
2013022053.tif 000006
【図５】
2013022053.tif 000007
【図６】
2013022053.tif 000008
【図７】
2013022053.tif 000009
【図８】
2013022053.tif 000010
【図９】
2013022053.tif 000011
【図１０】
2013022053.tif 000012
【図１１】
2013022053.tif 000013
【図１２】
2013022053.tif 000014